(57)【要約】      （修正有）【課題】家庭でも容易に自動車のタイヤを移動し、脱着できるタイヤ脱着工具を提供する。【解決手段】自動車タイヤを移動させ脱着するタイヤ工具において、底部にキャスターを設けて自由自在に移動可能であって、その間にタイヤを乗せる２本の長尺のローラー２を有し、長尺のローラー２を２本とスライドネジハンドル３の組合せによりスライドネジハンドル３を、回すことにより片側の長尺のローラーが移動し長尺のローラー間が伸縮され、タイヤの上下方向の位置を微調整、且つタイヤボルト孔の角度位置ズレの回転微調整を可能にしてタイヤ脱着工具を構成する。【選択図】図１
0003166123.tif 000002
【実用新案登録請求の範囲】
【請求項１】
自動車タイヤ・ボルトの高さ位置合わせが、スライドハンドルにて簡単に、上下できる。
【請求項２】
自動車タイヤ・ボルトの孔合わせが、２本のローラーにて、微少回転でき、簡単にセットしやすい。
【考案の詳細な説明】
【背景技術】従来、タイヤの脱着について大型車には専用工具が既存するが２トン車以下には、なかった。
【考案の概要】
自動車タイヤを家庭で装着する際、大きな労力と時間を要す。
本案は、労力を軽減し、且つ短時間に安全に装着出来るものである。
【考案が解決しようとする課題】
【０００１】自動車をジャッキアップ後、タイヤを所定位置への微少移動が難しい。【０００２】タイヤを持ち上げるとき、大きな労力を必要とする。【０００３】タイヤを自動車タイヤ・ボルトに、合わせるのが困難である。【０００４】腰を、痛めやすい。
【課題を解決する手段】
【０００５】タイヤを、四輪自在キャスター付台車に乗せ移動。
【０００６】タイヤの上下移動はスライド・ハンドルにて、ローラー間、伸縮調整、タイヤを上下させる。
【０００７】自動車タイヤ・ボルトの合わせは、２本のローラーにて回転合せ。
【０００８】タイヤ転倒防止のため、セフテイスタンドを設けた。
【考案の効果】
【０００９】腰を痛めず、女性でも簡単にセット可能である。
【００１０】使用後は、セフテイースタンドを外し、場所を取らずに収納できる。
【図面の簡単な説明】
【図１】本考案の投影図面である。
【図２】本考案の正面図  側面図  平面図である。
【符号の説明】図示による。
【図１】
0003166123.tif 000003
【図２】
0003166123.tif 000004
【手続補正書】
【提出日】平成22年1月25日(2010.1.25)
【手続補正１】
【補正対象書類名】実用新案登録請求の範囲
【補正対象項目名】全文
【補正方法】変更
【補正の内容】
【実用新案登録請求の範囲】
【請求項１】
「タイヤ脱着工具」
自動車タイヤを交換する際、着装タイヤの上下を粍単位でボルトに合わせるのが、非常に難しく合致しにくい。
本考案は、▲２▼の長尺ローラーと▲３▼のハンドルとの組合せにより、粍単位の上下調整が簡単にでき、又ボルトを痛めることもない。
尚、次にボルトとタイヤ孔との角度ズレが生じ、手作業では何度も繰り返すことになる。
本考案は、▲２▼の長尺ローラーにて手で軽く回転出来一度で孔合わせが、可能になった。
【手続補正書】
【提出日】平成22年5月7日(2010.5.7)
【手続補正１】
【補正対象書類名】実用新案登録請求の範囲
【補正対象項目名】全文
【補正方法】変更
【補正の内容】
【実用新案登録請求の範囲】
【請求項１】
「タイヤ脱着工具」
自動車タイヤを装着するとき、重量物のタイヤを手で粍単位を上下させ▲４▼のボルトに合わせるのが非常に困難であるため本考案では装着タイヤを脱着工具に乗せ所定位置に移動
▲２▼の長尺ローラーを▲３▼のハンドルを手で回すことにより▲２▼のローラー間は伸縮されタイヤの上下を微力で粍単位の上下調整を可能にした。
【請求項２】
タイヤホイールと自動車車体ボルトの孔ズレを、▲２▼のローラーにて、タイヤを手で軽く回転でき一度で合わせることを可能にした。
【手続補正書】
【提出日】平成22年8月11日(2010.8.11)
【手続補正１】
【補正対象書類名】実用新案登録請求の範囲
【補正対象項目名】全文
【補正方法】変更
【補正の内容】
【実用新案登録請求の範囲】
【請求項１】
自動車タイヤを移動させ脱着するタイヤ工具であって、底部にキャスターを設けて自由自在に移動可能であって、その間にタイヤを乗せる２本の長尺を有し、長尺ローラー２本とスライドネジハンドルの組合せによりスライドネジハンドルを、回すことにより片側の長尺ローラーが移動し長尺ローラー間が伸縮され、タイヤの上下方向の位置を微調整可能であることをを特徴とするタイヤ脱着工具。
【手続補正書】
【提出日】平成22年10月8日(2010.10.8)
【手続補正１】
【補正対象書類名】実用新案登録請求の範囲
【補正対象項目名】全文
【補正方法】変更
【補正の内容】
【実用新案登録請求の範囲】
【請求項１】
自動車タイヤを移動させ脱着するタイヤ工具であって、底部にキャスターを設けて自由自在に移動可能であって、その間にタイヤを乗せる２本の長尺ローラーを有し、長尺ローラー２本とスライドネジハンドルの組合せによりスライドネジハンドルを、回すことにより片側の長尺ローラーが移動し長尺ローラー間が伸縮され、タイヤの上下方向の位置を微調整  且つタイヤボルト孔の角度位置ズレの回転微調整を可能にしたことを特徴とするタイヤ脱着工具。
【手続補正２】
【補正対象書類名】図面
【補正対象項目名】全図
【補正方法】変更
【補正の内容】
【図１】
0003166123.tif 000005
【図２】
0003166123.tif 000006
【図３】
0003166123.tif 000007
【手続補正書】
【提出日】平成22年12月16日(2010.12.16)
【手続補正１】
【補正対象書類名】手続補正書
【補正対象項目名】手続補正３
【補正方法】追加
【補正の内容】
【手続補正３】
【補正対象書類名】明細書
【補正対象項目名】全文
【補正方法】変更
【補正の内容】
【考案の詳細な説明】
【背景技術】従来、タイヤの脱着について大型車には専用工具が既存するが２トン車以下には、なかった。
【考案の概要】
自動車タイヤを家庭で装着する際、大きな労力と時間を要す。
本案は、労力を軽減し、且つ短時間に安全に装着出来るものである。
【考案が解決しようとする課題】
【０００１】自動車をジャッキアップ後、タイヤを所定位置への微少移動が難しい。【０００２】タイヤを持ち上げるとき、大きな労力を必要とする。【０００３】タイヤを自動車タイヤ・ボルトに、合わせるのが困難である。【０００４】腰を痛めやすい。
【課題を解決する手段】
【０００５】タイヤを、四輪自在キャスター付台車に乗せ移動。
【０００６】タイヤの上下移動はスライド・ハンドルにて、ローラー間、伸縮調整、タイヤを上下させる。
【０００７】自動車タイヤ・ボルトの合わせは、２本のローラーにて回転合わせ。
【０００８】タイヤ転倒防止のため、セフテイスタンドを設けた。
【考案の効果】
【０００９】腰を痛めず、女性でも簡単にセット可能である。
【００１０】使用後は、セフテイースタンドを外し、場所を取らずに収納できる。
【図面の簡単な説明】
【００１１】
【図１】本考案の投影図面である。
【図２】本考案の正面図、側面図、平面図である。
【図３】本考案のセット図面である。
【符号の説明】
【００１２】図示による。
0003166123.tif 000008